(57)【要約】【課題】仮囲いや構築物などの壁面を実際の草花で修景する際に、一度に多数のフラワーポットを壁面に支持することが可能なフラワーポット保持ユニットを提供すること。【解決手段】フラワーポット保持ユニット１０は、壁面Ｗに沿って横方向Ｘに延び、横方向から見たときに三角形の各頂点に端面が位置するように配置された１本の主棒材１１及び２本の補助棒材１２，１３を備え、これら棒材は、連結材１４，１５で連結されてトラス構造を構成している。連結材は、横方向にジグザグ状に延び、第１屈曲部１４ａ，１５ａが、主棒材１１に結合されると共に中間直線部１４ｃ，１５ｃが、それぞれの補助棒材に結合され、第２屈曲部１４ｂ，１５ｂが、壁面Ｗと並行する方向へ曲げられ、この第２屈曲部の少なくとも複数が壁面に係止されている。フラワーポット１６は、隣接する中間直線部間の収納空間１７に入れて保持される。【選択図】図５
2009278925.tif 000002
【特許請求の範囲】
【請求項１】
壁面にフラワーポットを配置可能に支持するフラワーポット保持ユニットにおいて、
前記フラワーポット保持ユニットが、前記壁面に沿って前記横方向に延び、かつ前記横方向から見たときに三角形の各頂点に端面が位置するように配置された１本の主棒材及び２本の補助棒材と、前記主棒材に前記各補助棒材をそれぞれ連結材で連結してトラス構造を構成し、
２本の前記補助棒材が、前記壁面から最も離れた位置にある前記主棒材の両側方に位置すると共に前記主棒材より前記壁面側に配置され、
２本の前記連結材が、並行な２つの仮想直線上にそれぞれ位置する多数の第１屈曲部及び第２屈曲部と、これら第１及び第２屈曲部の間に形成された中間直線部とを備えるように前記横方向にジグザグ状に延び、前記各第１屈曲部が、前記主棒材の両側に当接した状態で結合されると共に前記各中間直線部が、それぞれの前記補助棒材に結合され、多数の前記第２屈曲部が、前記壁面と並行する方向へ曲げられ、この前記第２屈曲部の少なくとも複数が前記壁面に係止され、前記連結材の隣接する前記中間直線部と前記主棒材又は前記補助棒材とで囲まれる空間部にフラワーポットを入れて保持することを特徴とするフラワーポット保持ユニット。
【請求項２】
前記主棒材、前記補助棒材、及び前記連結材が、樹脂製の中実棒で形成され、前記各連結材の前記第１屈曲部と前記主棒材とが溶着により結合され、前記各連結材の前記補助棒材と前記中間直線部とが溶着により結合されている請求項１に記載のフラワーポット保持ユニット。
【請求項３】
前記主棒材、前記補助棒材、及び前記連結材が、鉄製の中実棒で形成され、前記各連結材の前記第１屈曲部と前記主棒材とが溶接により結合され、前記各連結材の前記補助棒材と前記中間直線部とが溶接により結合されている請求項１に記載のフラワーポット保持ユニット。
【発明の詳細な説明】
【技術分野】
【０００１】
本発明は、フラワーポット保持ユニットに関し、さらに詳細には、横方向に広がる壁面に多数のフラワーポット（植木鉢）等を配置し得るように該壁面に取り付けて該フラワーポットを保持するフラワーポット保持ユニットに関する。
【背景技術】
【０００２】
建設現場などでは、安全対策や防音対策のために該現場を囲むように多数のパネルを立設して仮囲いが仮設され、現場内への一般人の立ち入りを規制している。しかし、このような仮囲いは、周囲の景観を悪くすることから、その表面に木や、草花などの植物、或いは動物などの絵などを描き、又はこのような絵をプリントした比較的に大きなフィルムを貼り付ける等して景観の悪化を避けるような対策が施されている。このような対策は、仮囲いだけではなく、例えば、道路壁面や種々の建築物におけるコンクリート壁などでも同様に行われている。
【０００３】
また、仮囲いや種々の建築物におけるコンクリート壁などの壁面を修景する方法として、草花が植えられた多数の植木鉢、即ちフラワーポットをこれらの壁面に取り付けることも行われている。従来、壁面にフラワーポットを配置する場合の多くは、特許文献１に開示されている植木鉢吊下げ具と、特許文献２に開示されている植木鉢吊下げ支持具とを用いている。特許文献１に開示されている植木鉢吊下げ具は、線材を屈曲するなどして形成された植木鉢受け具に植木鉢を入れ、特許文献２に開示された植木鉢等の吊り支持具を壁面に固定してこれにチェーンなどを用いて吊下げ支持するものであった。
【特許文献１】登録実用新案第３０６１１２４号公報
【特許文献２】特開２００１−２９９５３２号公報
【発明の開示】
【発明が解決しようとする課題】
【０００４】
しかし、特許文献１に開示された植木鉢吊下げ具や、特許文献２に開示された植木鉢等の吊り支持具は、１つのフラワーポットを壁面に支持するためのもので、多数のフラワーポットを壁面に並べて支持する場合には、それら吊下げ具と吊り支持具を個々に準備すると共にこれらを所定の間隔で壁面に取り付けなければならないので、非常に面倒で手間の掛かる作業となり、その結果、多大な労力と時間が掛かるという問題があった。
【０００５】
本発明の目的は、かかる従来の問題点を解決するためになされたもので、仮囲いを含む構築物などの壁面を実際の草花が植えられたフラワーポットを配置して修景する際に、一度に多数のフラワーポットを壁面に支持することが可能なフラワーポット保持ユニットを提供することにある。
【課題を解決するための手段】
【０００６】
本発明は、壁面にフラワーポットを配置可能に支持するフラワーポット保持ユニットであり、その特徴とするところは、前記フラワーポット保持ユニットが、前記壁面に沿って前記横方向に延び、かつ前記横方向から見たときに三角形の各頂点に端面が位置するように配置された１本の主棒材及び２本の補助棒材と、前記主棒材に前記各補助棒材をそれぞれ連結材で連結してトラス構造を構成し、２本の前記補助棒材が、前記壁面から最も離れた位置にある前記主棒材の両側方に位置すると共に前記主棒材より前記壁面側に配置され、２本の前記連結材が、並行な２つの仮想直線上にそれぞれ位置する多数の第１屈曲部及び第２屈曲部と、これら第１及び第２屈曲部の間に形成された中間直線部とを備えるように前記横方向にジグザグ状に延び、前記各第１屈曲部が、前記主棒材の両側に当接した状態で結合されると共に前記各中間直線部が、それぞれの前記補助棒材に結合され、多数の前記第２屈曲部が、前記壁面と並行する方向へ曲げられ、この前記第２屈曲部の少なくとも複数が前記壁面に係止され、前記連結材の隣接する前記中間直線部と前記主棒材又は前記補助棒材とで囲まれる空間部にフラワーポットを入れて保持することにある。
【０００７】
本発明のフラワーポット保持ユニットに係る実施形態の一例としては、前記主棒材、前記補助棒材、及び前記連結材が、樹脂製の中実棒で形成され、前記各連結材の前記第１屈曲部と前記主棒材とが溶着により結合され、前記各連結材の前記補助棒材と前記中間直線部とが溶着により結合されている。
【０００８】
本発明のフラワーポット保持ユニットに係る実施形態の他の例としては、前記主棒材、前記補助棒材、及び前記連結材が、鉄製の中実棒で形成され、前記各連結材の前記第１屈曲部と前記主棒材とが溶接により結合され、前記各連結材の前記補助棒材と前記中間直線部とが溶接により結合されている。
【発明の効果】
【０００９】
本発明に係るフラワーポット保持ユニットによれば、横方向に広がる壁面に沿って配置される３本の棒材が、２つの連結材によってトラス構造を形成するように連結され、しかも、ジグザク状に曲げられた各連結材における壁側の第２屈曲部を壁面に沿って更に曲げることによってＵ字型の取付け用脚部としている。これにより、これら多数の脚部を壁面に当接させ、これら幾つかの脚部をアンカーボルトなどで壁面に固定し、又はフックなどを用いて壁面に懸架することにより、簡単にフラワーポット保持具を壁面に取り付けることができる。
【００１０】
さらに、このフラワーポット保持ユニットでは、３本の棒材をトラス構造に形成する２本の連結材が、各棒材の延長方向である横方向にジグザク状に延びているので、隣接する中間直線部間に多数の空間部が形成され、これら多数の空間部がフラワーポットを入れる保持部となり、その結果、１つのユニットで多数の植木鉢を一度に保持することができる。また、このフラワーポット保持ユニットによれば、１つのユニットで多数のフラワーポットを保持しても、このフラワーポット保持ユニットが極めて高い強度を有するトラス構造であるため、多数のフラワーポットによる総重量に十分に耐えることかでき、従って、安全にこれら植木鉢を支持することができる。
【００１１】
また、このフラワーポット保持ユニットは、建造物の床（スラブ）を形成する際に使用するトラス構造の鉄筋ユニットをそのまま用いることができることから、この植木鉢保持ユニットを製作するのに特別な機械や装置を製造する必要がなく、従って安価に入手することができるので、このフラワーポット保持ユニットを製造するに際して高い経済性を得ることができる。
【発明を実施するための最良の形態】
【００１２】
以下、本発明に係るフラワーポット保持ユニットを図に示される実施形態について更に詳細に説明する。図１は、本発明の一実施形態に係るフラワーポット保持ユニットを工事現場の周囲に仮設されている仮囲いに取り付け、多数のフラワーポットを保持させた状態で示す概略的な斜視図、また、図２は、フラワーポット保持ユニットを概略的に示す部分的な正面図である。
【００１３】
図１では、この実施形態に係るフラワーポット保持ユニット（以下、保持ユニット、と称する）１０を仮囲いの壁面Ｗに取り付けた状態で示すもので、仮囲いの壁面Ｗの横方向を矢印Ｘで示し、高さ方向即ち上下方向を矢印Ｙで示す。また、図１で見て、構築物の壁面Ｗから離れる方向を「前方」と称し、その逆方向、即ち壁面Ｗに向かう方向を「後方」と称する。この実施形態に係る保持ユニット１０は、図１及び図２に示されるように仮囲いの壁面Ｗに沿って横方向Ｘに延びる３本の棒材１１，１２，１３と、これら各棒材を連結する２つの連結材１４，１５とによりトラス構造体として形成されている。すなわち、保持ユニット１０は、金属製の主棒材１１と、同じく金属製の補助棒材１２，１３と、やはり金属製の連結材１４，１５とから構成され、これら３本の棒材１１，１２，１３は、相互に間隔をあけて並行に、かつこれらの棒材１１、１２，１３をその端部側から見たとき（図３を参照）各棒材の端面が仮想の三角形の各頂点に位置するように配置されている。
【００１４】
具体的には、図４に示されるように、主棒材１１は、仮囲いの壁面Ｗから前方へ所定寸法離間して横方向Ｘへ直線的に延び、２本の補助棒材１２，１３は、主棒材１１より後方側、即ち壁面Ｗ側で、かつ主棒材１１の上下方向両側に位置し、かつ壁面Ｗから前方へ所定寸法離間して横方向Ｘに直線的に延びている。２本の連結材１４，１５のそれぞれは、仮囲いの壁面Ｗと主棒材１１との間に位置し、それらの間でジグザグ状に屈曲を繰り返して横方向Ｘへ延び、従って、前方側と後方側とにそれぞれ第１屈曲部１４ａ，１５ａ及び第２屈曲部１４ｂ，１５ｂと、これら第１屈曲部１４ａ，１５ａと第２屈曲部１４ｂ，１５ｂとの間の中間直線部１４ｃ，１５ｃとを形成している。このような２本の連結材１４，１５は、主棒材１１を挟んでその両側部（図１及び図２で見て主棒材１１の上側及び下側）に対称に配置され、かつ図４から明らかなように第１屈曲部１４ａ，１５ａから第２屈曲部１４ｂ，１５ｂに向かって横方向へ末広がりを呈するように構築物の壁面Ｗに対して所定角度で傾斜している。
【００１５】
各連結材１４，１５の第１屈曲部１４ａ，１５ａは、主棒材１１の両側に当接した状態で、主棒材１１にスポット溶接されている。第２屈曲部１４ｂ，１５ｂは、壁面Ｗと並行するように、上下方向Ｙ外方へ折り曲げられている。各連結材１４，１５の中間直線部１４ｃ，１５ｃには補助棒材１２，１３が接触し、連結材１４の中間直線部１４ｃのうちの補助棒材１２と交差する部分が補助棒材１２にスポット溶接され、また、連結材１５の中間直線部１５ｃのうちの補助棒材１３と交差する部分が該補助棒材１３にスポット溶接されている。
【００１６】
壁面Ｗに沿って曲げられた各連結材１４，１５の第２屈曲部１４ｂ，１５ｂは、仮囲いの壁面Ｗに当接する脚部として作用する。すなわち、第２屈曲部１４ｂ，１５ｂが壁面Ｗに沿う上下方向Ｙに曲げられていることにより、壁面Ｗに対して点接触ではなく面接触となるため、保持ユニット１０が壁面Ｗに安定的に密着することになる。また、第２屈曲部１４ｂ，１５ｂの幾つかは、図４に示されるように押さえ金具とボルトなど適当な留め具、或いは仮囲いに取り付けられたフックなどを用いて壁面Ｗに固定又は係止される。幾つの第２屈曲部１４ｂ，１５ｂを壁面Ｗに固定又は係止するかは、この保持ユニット１０の大きさや長さによって決定される。なお、図５では、保持ユニット１０の構造を理解しやすくするため第２屈曲部１４ｂ，１５ｂを壁面Ｗに固定する留め具を省略して図示している。このように構成された保持ユニット１０では、その一部を拡大して示す図５から明らかなように連結材１４の中間直線部１４ｃが、主棒材１１と補助棒材１２との間を、該各棒材１１，１２の長手方向に対して斜めに横断し、これにより隣接する中間直線部１４ｃ間にほぼ三角形状の空間が画成され、この空間がフラワーポット１６を入れる収納空間１７となる。このような収納空間１７は、主棒材１１と補助棒材１３との間でも同様にこれら棒材１１，１３を連結する連結材１５の中間直線部１５ｃによって画成されている。
【００１７】
この保持ユニット１０は、図１及び図２に示されるように壁面Ｗに、その横方向Ｘに各棒材１１，１２，１３が延びるように配置され、取り付け脚部として作用する各連結材１４，１５の第２屈曲部１４ｂ，１５ｂが壁面Ｗに当接するので、図４に示されるように主棒材１１と補助棒材１２とを結合する連結材１４の中間直線部１４ｃにより画成された収納空間１７は上側に、また主棒材１１と補助棒材１３とを結合する連結材１５の中間直線部１５ｃにより画成された収納空間１７は下側にそれぞれ画成されることになる。従って、草花を植えたフラワーポット１６は、図４及び図５に示されるように上側に位置する収納空間１７から入れられ、フラワーポット１６の深さによっては図４に示されるようにその底部側が下側の収納空間１７から下方へ向かって突出することもある。
【００１８】
上述したように保持ユニット１０が壁面Ｗに取り付けられると、前述した説明から明らかなように主棒材１１と補助棒材１２とを連結する連結材１４の配置面が、前方に下り傾斜する傾斜面となる。そのため、連結材１４の隣接する中間直線部１４ｃの間に形成された収納空間１７に入れられたフラワーポット１６は、前方、即ち主棒材１１側に移動するので、隣接する中間直線部１４ｃが画成する三角形状の収納空間１７における狭まった前方側に位置し、そこでフラワーポット１６の上部大径部が中間直線部１４ｃに乗って懸架される。言い換えれば、この収納空間部１７に入れられるフラワーポット１６は、その上部大径部が三角形状の狭まった前方側の中間直線部１４ｃに乗るような大きさのものを選ぶ必要がある。
【００１９】
これにより、仮囲いの壁面Ｗに取り付けられたこの実施形態に係るフラワーポット保持ユニット１０は、主棒材１１と補助棒材１２とを連結する連結材１４がジグザグ状に屈曲しているので、壁面Ｗへの取り付け脚部の形成と共に多数の収納空間１７を形成することになるので、１つのユニットで一度に多数のフラワーポット１６を保持することができる。
【００２０】
なお、上述した実施形態に係るフラワーポット保持ユニット１０において、主棒材１１、補助棒材１２，１３、及び連結材１４，１５それぞれの太さは特に限定されるものではなく、この保持ユニット１０の大きさに基づいた必要な強度を維持し得るように設定される。また、これらの棒材、及び連結材に用いられる金属は鉄が好ましいが、鉄以外の金属で形成することができ、鉄を用いる場合はメッキ等の防食処理を施すことも好ましい。また、主棒材１１、補助棒材１２，１３、及び連結材１４，１５は、合成樹脂材料で形成することもできる。その場合、各連結材１４，１５と主棒材１１や補助棒材１２，１３とは、強力な接着剤を用いて結合されるか、或いは溶着により結合される。さらに、連結材１４、１５において、単位長さ（ｍ）当たりの屈曲を繰り返す回数や、これらを配置する際の構築物の壁面Ｗに対する傾斜角度についても特に限定はなく自由に設定することができる。
【００２１】
また、前述した上述した実施形態に係るフラワーポット保持ユニット１０において、主棒材１１、補助棒材１２，１３、及び連結材１４，１５は、中実の金属棒や合成樹脂製の棒、或いは中空の金属棒や合成樹脂製の棒を用いることができる。特に、中空の金属棒や合成樹脂製の棒の使用は、軽量化を図れることから特に好ましい。さらに、上述した実施形態に係るフラワーポット保持ユニット１０では、仮囲いの壁面Ｗに沿って設置し、該壁面Ｗに多数のフラワーポットを配置して修景するものであったが、仮囲い以外にも、道路壁面、擁壁、橋脚など種々の構築物の壁面に対して適用することができる。
【００２２】
以上説明したように、上述した実施形態におけるフラワーポット保持ユニット１０によれば、該保持ユニット１０が、１本の主棒材１１、２本の補助棒材１２，１３、及びこれら棒材１１〜１３をトラス構造に形成する連結材１４，１５とから構成され、しかもこの保持ユニット１０を構築物の壁面Ｗに沿って設置したときに保持ユニット１０が壁面Ｗに安定的に密着するように連結材１４，１５に脚部を形成し、必要に応じてその幾つかを壁面Ｗに固定するようにしたことから、堅固に壁面に取り付けることができ、その結果、耐震強度も非常に高く、かつ安全性の高いフラワーポット保持ユニットを提供することができる。
【００２３】
また、上述した実施形態におけるフラワーポット保持ユニット１０によれば、前述したようにトラス構造を形成する連結材１４，１５がジグザグ状に形成されていることから、多数の中間直線部１４ｃ，１５ｃで画成される収納空間１７が形成されるので、これら多数の収納空間１７に一度に多数のフラワーポット１６を入れて保持させることができ、フラワーポット１６の保持作業が非常に容易で、かつ短時間でこれを行うことができる。さらに、このようなフラワーポット保持ユニット１０、建造物の床（スラブ）を形成する際に使用するトラス構造の鉄筋ユニットをそのまま用いることができることから、この保持ユニット１０を製作するのに特別な機械や装置を開発する必要もなく、従って、安価に入手することができるので、フラワーポット保持ユニットの製造に際して高い経済性を得ることができる。
【図面の簡単な説明】
【００２４】
【図１】本発明の一実施形態に係るフラワーポット保持ユニットを工事現場の周囲に仮設されている仮囲いに取り付け、多数のフラワーポットを保持させた状態で示す概略的な斜視図。
【図２】フラワーポット保持ユニットを概略的に示す部分的な正面図。
【図３】フラワーポット保持ユニットを長手方向の端面から見た端面図。
【図４】壁面に取り付けたフラワーポット保持ユニットにフラワーポットを保持させた状態で示す図３と同様な端面図。
【図５】図４に示されるフラワーポット保持ユニットを真上から見た状態を拡大して示す概略的な部分上面図。
【符号の説明】
【００２５】
１０    フラワーポット保持ユニット
１１    主棒材
１２，１３    補助棒材
１４，１５    連結材
１４ａ，１５ａ    第１屈曲部
１４ｂ，１５ｂ    第２屈曲部
１４ｃ，１５ｃ    中間直線部
１６    フラワーポット
１７    収納空間
【図１】
2009278925.tif 000003
【図２】
2009278925.tif 000004
【図３】
2009278925.tif 000005
【図４】
2009278925.tif 000006
【図５】
2009278925.tif 000007